(57)【要約】【課題】開放感の優れた食器洗い機を提供する。【解決手段】洗浄槽７を内蔵した食器洗い機本体８と、前記洗浄槽７の前方に設けた開口部９を開閉すると共に上扉体１０ａと下扉体１０ｂからなる扉体１０とを備え、前記上扉体１０ａを透明部材で形成した表面扉体２０と第３の平板ガラス２４で構成し、前記食器洗い機本体８および前記洗浄槽７の背面のそれぞれに第１の平板ガラス１６、第１の透明部１８を配したもので、対面キッチン等のオープンタイプのリビングと一体化しているキッチンに食器洗い機を設置した場合でも、食器洗い機本体８に水平方向に光を透過させることで、開放感の優れた食器洗い機を提供することができる。【選択図】図１
2006102199.tif 000002
【特許請求の範囲】
【請求項１】
洗浄槽を内蔵した食器洗い機本体と、前記洗浄槽の前方に設けた開口部を開閉する扉体とを備え、前記扉体の少なくとも一部を透明または半透明部材で形成するとともに、前記食器洗い機本体および前記洗浄槽の側面又は／及び背面の少なくとも一部を透明または半透明部材で形成した食器洗い機。
【請求項２】
洗浄槽の透明または半透明部材を、扉体の透明または半透明部材を通して見える位置に配設した請求項１に記載の食器洗い機。
【請求項３】
洗浄槽の上面の少なくとも一部を透明または半透明部材で形成した請求項１または２に記載の食器洗い機。
【請求項４】
洗浄槽を、枠体と平板ガラスで構成した請求項１〜３のいずれか１項に記載の食器洗い機。
【発明の詳細な説明】
【技術分野】
【０００１】
本発明は食器等の洗浄および乾燥を行う食器洗い機に関するものである。
【背景技術】
【０００２】
従来の、この種の食器洗い機について、図２を用いて説明する。
【０００３】
図２において、食器洗い機本体内１に、食器類２を収容する洗浄槽３が設けられ、洗浄槽３の前面に開口部４を有し、この開口部４を上扉体５ａと下扉体５ｂとに上下に分割された扉体５により開閉するとともに、洗浄槽３の底部に洗浄水を噴射する洗浄ノズル６を回転自在に配設している。
【０００４】
食器洗い機の基本的な動作は、一般的によく知られているので、以下に簡単に述べると、使用者が扉体５を開けて、食器洗い機本体１内の洗浄槽３に配置された食器かご３ａに汚れた食器類２をセットする。
【０００５】
つぎに、扉体５を閉め、運転を開始すると、洗浄水が、洗浄槽３の底部に配置されたヒータ（図示せず）によって加熱されながら、洗浄ノズル６から食器類２に向かって噴射され、食器類２の汚れを落とす洗浄行程を行う。その後、食器類２をすすいだ後、乾燥行程を行って運転を終了する（例えば、特許文献１参照）。
【特許文献１】特開２００１−２７５９１５号公報
【発明の開示】
【発明が解決しようとする課題】
【０００６】
しかしながら、このような従来の食器洗い機の構成では、扉体５に窓部を設けているものはあるが、食器洗い機本体１に窓部がないため食器洗い機の設置された場所の反対側の視界が遮断されてしまう。食器洗い機はシンクの周辺に設置場所が限られているため、対面キッチン等のオープンタイプのリビングと一体化しているキッチンに食器洗い機を設置した場合、食器洗い機が設置されるシンク周辺とリビングが近接しているため、食器洗い機が邪魔になりせっかくの開放感が低下するという課題を有していた。
【０００７】
また、独立したキッチンでも、通常作業することが多いシンク周辺への採光に必要な窓を設けていることが多いが、この窓を食器洗い機で塞いでしまう場合があり、キッチン全体が暗くなるという課題を有していた。
【０００８】
本発明は、上記従来の課題を解決するもので、対面キッチン等のオープンタイプのリビングと一体化しているキッチンに食器洗い機を設置した場合でも、開放感の優れた食器洗い機を提供することを目的としている。
【課題を解決するための手段】
【０００９】
上記従来の課題を解決するために、本発明の食器洗い機は、洗浄槽を内蔵した食器洗い機本体と、前記洗浄槽の前方に設けた開口部を開閉する扉体とを備え、前記扉体の少なくとも一部を透明または半透明部材で形成するとともに、前記食器洗い機本体および前記洗浄槽の側面又は／及び背面の少なくとも一部を透明または半透明部材で形成したもので、対面キッチン等のオープンタイプのリビングと一体化しているキッチンに食器洗い機を設置した場合でも、食器洗い機本体に水平方向に光を透過させることで、開放感の優れた食器洗い機を提供することができる。
【発明の効果】
【００１０】
本発明の食器洗い機は、対面キッチン等のオープンタイプのリビングと一体化しているキッチンに食器洗い機を設置した場合でも、食器洗い機本体に水平方向に光を透過させることができ、開放感に優れたものである。
【発明を実施するための最良の形態】
【００１１】
第１の発明は、洗浄槽を内蔵した食器洗い機本体と、前記洗浄槽の前方に設けた開口部を開閉する扉体とを備え、前記扉体の少なくとも一部を透明または半透明部材で形成するとともに、前記食器洗い機本体および前記洗浄槽の側面又は／及び背面の少なくとも一部を透明または半透明部材で形成したもので、対面キッチン等のオープンタイプのリビングと一体化しているキッチンに食器洗い機を設置した場合でも、食器洗い機本体に水平方向に光を透過させることで、開放感の優れた食器洗い機を提供することができる。
【００１２】
第２の発明は、特に、第１の発明の洗浄槽の透明または半透明部材を、扉体の透明または半透明部材を通して見える位置に配設したもので、視界を遮らず、より開放感を向上させることができる。
【００１３】
第３の発明は、特に、第１又は第２の発明の洗浄槽の上面の少なくとも一部を透明または半透明部材で形成したもので、食器類が収納され、水平方向への光が透過しにくい場合でも洗浄槽内部に採光することができ、開放感を向上させることができる。
【００１４】
第４の発明は、特に、第１〜３のいずれか一つの発明の洗浄槽を、枠体と平板ガラスで構成したもので、略直方体に構成された洗浄槽を平板ガラスで容易に形成できるとともに、優れた透明性を実現しつつガラスの質量により、洗浄水による水激音を緩和することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における食器洗い器の断面図である。
【００１７】
図１において、洗浄槽７は、食器洗い機本体８の内部に設け、前方の開口部９を、上扉体１０ａと下扉体１０ｂからなる扉体１０により開閉するよう構成されている。洗浄槽７の底部には、洗浄水を噴射する洗浄ノズル１２を回転自在に配設し、洗浄槽７内に食器類１３を収容する食器かご１４を配置している。
【００１８】
洗浄槽７は、略直方体に構成され、耐薬品性に優れた樹脂（たとえばＰＰ）の洗浄槽本体１５に、開口部９と反対側の面（背面）の上扉体１０ａと同じ高さ位置に、透明部材として第１の平板ガラス１６を配設し、また、上面部に同じく透明部材として第２の平板ガラス１７を配設している。また、食器洗い機本体８は、洗浄槽７に設けた第１の平板ガラス１６および、第２の平板ガラス１７の夫々と対向する位置に、優れた透明性を有する透明部材（たとえばＡＢＳ樹脂で形成）からなる第１の透明部１８および第２の透明部１９を設けている。
【００１９】
また、上扉体１０ａは、表面扉体２０と裏面扉体２１からなり、表面扉体２０は優れた透明性を有する透明部材（たとえばＡＢＳ樹脂で形成）にポリエステル製のフィルム２２を表面内部にインサートしている。裏面扉体２１は耐薬品性に優れた樹脂（たとえばＰＰ）の扉枠体２３に、透明部材として表裏両面がほぼ平らな第３の平板ガラス２４を配設している。フィルム２２は、第３の平板ガラス２４の外周より内方を視認性のよい透明とし、それ以外を視認性の悪い色を枠状に印刷している不透明部を設けている。
【００２０】
上記の構成において作用を説明すると、扉体１０の閉成状態で洗浄槽７の背面に設けた第１の平板ガラス１６、食器洗い機本体８に設けた第１の透明部１８を通して光が透過するため、対面キッチン等のオープンタイプのリビングと一体化しているキッチンに食器洗い機を設置した場合でも、開放感を維持することができる。また、シンク周辺への採光に必要な窓の前に食器洗い機を設置する場合にも、光を塞ぐことはない。扉体１０の開放状態でも同様である。
【００２１】
また、第１の透明部１８と、透明性を有する上扉体１０ａとは、水平方向の高さがほぼ同じであるため、視界を遮らず、より開放感を向上させることができる。このとき各透明部はできるだけ透明性を有するほうが開放感を増すことができる。
【００２２】
また、上面に第２の透明部１９を設けているため、食器類１３が収納され、水平方向への光が透過しにくい場合でも洗浄槽７内部に採光することができ、開放感を向上させることができる。
【００２３】
また、略直方体に構成された洗浄槽７に、第１の平板ガラス１６および第２の平板ガラス１７の配設は容易であり、しかも平板ガラスを用いることで、優れた透明性を確保しつつ、また、一般的に比重が大きい物質は遮音性が大きく防音性が優れているため、洗浄ノズル１２からの洗浄水の水激による騒音を緩和させることができる。
【００２４】
なお、上記実施の形態では、洗浄槽３の背面の一部を透明にしたが、洗浄槽３の側面の一部を透明または半透明に構成しても同様の効果が得られるものである。
【００２５】
このように本実施の形態によれば、食器洗い機本体８と、前記食器洗い機本体８内に設けた洗浄槽７と、前記洗浄槽７の前方に設けた開口部９を開閉する扉体１０とを備え、前記扉体１０の少なくとも一部を透明または半透明にするとともに、前記食器洗い機本体８および前記洗浄槽７の側面あるいは背面の少なくとも一部を透明または半透明に構成したことにより、対面キッチン等のオープンタイプのリビングと一体化しているキッチンに食器洗い機を設置した場合でも、食器洗い機本体８に水平方向に光を透過させることで、開放感の優れた食器洗い機を提供することができる。
【００２６】
また、第１の平板ガラス１６および第１の透明部１８を、表面扉体２０の透明部分、第３の平板ガラス２４を通して見える位置に配設したことにより、視界を遮らず、より開放感を向上させることができる。
【００２７】
また、洗浄槽７の上面の少なくとも一部を透明または半透明で構成したことにより、食器類１３が収納され、水平方向への光が透過しにくい場合でも洗浄槽７内部に採光することができ、開放感を向上させることができる。
【００２８】
また、洗浄槽７を、扉枠体２３とガラスで構成し、ガラスは平板ガラスとしたことにより、略直方体に構成された洗浄槽７を平板ガラスで容易に形成できるとともに、優れた透明性を実現しつつガラスの質量により、洗浄水による水激音を緩和することことができる。
【産業上の利用可能性】
【００２９】
以上のように、本発明にかかる食器洗い機は、対面キッチン等のオープンタイプのリビングと一体化しているキッチンに食器洗い機を設置した場合でも、食器洗い機本体に水平方向に光を透過させることで、開放感に優れたもので、カウンターに設置又は載置する食器洗い機、洗浄機、調理機器など各種機器に適用できるものである。
【図面の簡単な説明】
【００３０】
【図１】本発明の実施の形態１の食器洗い機の側断面図
【図２】従来の食器洗い機の側断面図
【符号の説明】
【００３１】
７  洗浄槽
８  食器洗い機本体
９  開口部
１０  扉体
１０ａ  上扉体
１０ｂ  下扉体
１６  第１の平板ガラス（透明部材）
１７  第２の平板ガラス（透明部材）
１８  第１の透明部（透明部材）
１９  第２の透明部（透明部材）
２０  表面扉体
２４  第３の平板ガラス（透明部材）
【図１】
2006102199.tif 000003
【図２】
2006102199.tif 000004